(57)【要約】【課題】コンテナ内面を平滑面とすることができ、収納した物品を保護することができるとともに、運搬中等に固化するような物品の取り出し性も良好な折り畳みコンテナを提供する。【解決手段】あおり板１３の上部を上枠１１の短辺に対してコンテナ内側に回動可能な状態で連結し、側板１８が設けられる上枠１１と底板１２との長辺間には、該上枠及び底板に対してコンテナ内側に回動可能な状態で連結され、かつ、上下方向中間部の連結部１６で内側へ折れ曲がるように連結された上下一対のヒンジ板１４，１５からなるヒンジ部品１７を設けるとともに、該ヒンジ部品１７の上部ヒンジ板１４と側板１８とが一体的に回動するように形成した。【選択図】    図１
2004231259.tif 000002
【特許請求の範囲】
【請求項１】
相対向する方形状の上枠及び底板と、該上枠及び底板の上下に対向する二辺間をそれぞれ閉塞する一対の側板及び一対のあおり板を備えた六面体構造の折り畳みコンテナにおいて、前記あおり板の上部を上枠に対してコンテナ内側に回動可能な状態で連結し、前記側板が設けられる上枠と底板との間には、該上枠及び底板に対してコンテナ内側に回動可能な状態で連結され、かつ、上下方向中間部の連結部で内側へ折れ曲がるように連結された上下一対のヒンジ板からなるヒンジ部品を設けるとともに、該ヒンジ部品の上部ヒンジ板と前記側板とが一体的に回動するように形成したことを特徴とする折り畳みコンテナ。
【請求項２】
前記ヒンジ部品は、前記側板よりも幅狭に形成されており、側板の幅方向に複数個が設けられていることを特徴とする請求項１記載の折り畳みコンテナ。
【請求項３】
前記側板が前記上部ヒンジ板を兼ねるように形成され、側板の上下方向中間部外面に前記ヒンジ部品の下部ヒンジ板上部を連結する軸受部が設けられていることを特徴とする請求項１記載の折り畳みコンテナ。
【請求項４】
前記側板及びあおり板は、コンテナ組立時に上方が拡大した四角錐形状を形成することを特徴とする請求項１記載の折り畳みコンテナ。
【発明の詳細な説明】
【０００１】
【発明の属する技術分野】
本発明は、折り畳みコンテナに関し、特に、柔らかい物品やフィルム袋等に充填された液体状乃至ゲル状の物品を収納するのに適した構造を有する折り畳みコンテナに関する。
【０００２】
【従来の技術】
従来から、折り畳みコンテナとして、上枠（フレーム）及び底板と、上枠及び底板に対してそれぞれ回動可能に取付けられ、かつ、連結部にて内側へ折曲がるように連結された上下一対の側板と、上枠に対して回動可能に取付けられたあおり板とから構成されたものが知られている（例えば、特許文献１参照。）。
【０００３】
このような折り畳みコンテナは、折り畳まれた状態で上枠を上方に持上げ、両側板の連結部を伸ばした状態にした後、両あおり板を両側板間に立てて直立状態にすることにより箱状に組立てることができ、逆に両あおり板を上枠に対して内方に回動させた後、両側板の連結部を内方に折曲げることにより折り畳むことができる。
【０００４】
【特許文献１】
特公平７−５１３３号公報
【０００５】
【発明が解決しようとする課題】
しかし、従来の折り畳みコンテナは、組み立てて物品を収納した状態でコンテナ上方から荷重が加わると、側板の連結部がコンテナの内方あるいは外方に屈曲した状態となる。したがって、収納物がフィルム袋等に充填された液体状乃至ゲル状のもの、例えば、醤油、油等である場合、さらに、これらが常温乃至低温で固化するもの、例えば、マーガリン、バター、チョコレート等を収納して保管、運搬した場合に、側板の屈曲によって収納物が変形してしまうおそれがあり、また、収納状態で固化してしまうとコンテナ内からの取り出しが困難になるという問題があった。さらに、連結部の状態によっては外面が柔らかいに物品を傷つけてしまうこともある。このため、前述のような物品は、プラスチック製あるいは段ボール製の一体型の収納容器に収納するようにしていたが、物品を取り出した後の収納容器の処理に大きな問題があった。
【０００６】
そこで本発明は、コンテナ内面を平滑面とすることができ、収納した物品を保護することができるとともに、運搬中等に固化するような物品の取り出し性も良好な折り畳みコンテナを提供することを目的としている。
【０００７】
【課題を解決するための手段】
上記目的を達成するため、本発明の折り畳みコンテナは、相対向する方形状の上枠及び底板と、該上枠及び底板の上下に対向する二辺間をそれぞれ閉塞する一対の側板及び一対のあおり板を備えた六面体構造の折り畳みコンテナにおいて、前記あおり板の上部を上枠に対してコンテナ内側に回動可能な状態で連結し、前記側板が設けられる上枠と底板との間には、該上枠及び底板に対してコンテナ内側に回動可能な状態で連結され、かつ、上下方向中間部の連結部で内側へ折れ曲がるように連結された上下一対のヒンジ板からなるヒンジ部品を設けるとともに、該ヒンジ部品の上部ヒンジ板と前記側板とが一体的に回動するように形成したことを特徴としている。
【０００８】
さらに、本発明の折り畳みコンテナは、前記ヒンジ部品が前記側板よりも幅狭に形成されており、側板の幅方向に複数個が設けられていること、前記側板が前記上部ヒンジ板を兼ねるように形成され、側板の上下方向中間部外面に前記ヒンジ部品の下部ヒンジ板上部を連結する軸受部が設けられていること、また、前記側板及びあおり板が、コンテナ組立時に上方が拡大した四角錐形状を形成することを特徴としている。
【０００９】
【発明の実施の形態】
図１乃至図４は、本発明の折り畳みコンテナの第１形態例を示すもので、図１は組立状態の折り畳みコンテナを示す斜視図、図２は同じくあおり板部分を示す要部の断面正面図、図３は同じく側板部分を示す要部の断面側面図、図４は折り畳んだ状態の側板部分を示す要部の断面側面図である。
【００１０】
この折り畳みコンテナは、平面視長方形状の上枠１１及び底板１２と、上枠１１の対向する短辺側にそれぞれ回動可能に設けられた一対のあおり板１３と、上枠１１の長辺における両端部と中央部とにそれぞれ回動可能に連結された上部ヒンジ板１４及び底板１２の長辺における両端部と中央部とにそれぞれ回動可能に連結された下部ヒンジ板１５からなり、上部ヒンジ板１４の下部と下部ヒンジ板１５の上部とが連結部１６にて内側に折れ曲がるように連結されたヒンジ部品１７と、該ヒンジ部品１７のコンテナ内部側に設けられた一対の側板１８とを有している。
【００１１】
前記あおり板１３及び上下各ヒンジ板１４，１５は、上枠１１又は底板１２の縁部に設けた各ヒンジ軸１３ａ、１４ａ、１５ａによってコンテナ内側に回動するようにそれぞれ形成されており、ヒンジ部品１７の連結部１６もヒンジ軸１６ａによってコンテナ内側に回動可能な状態に形成されている。また、上部ヒンジ板１４と側板１８とは、これらを別個に成形した後に接着、嵌合等の適宜な一体化手段で一体化したものであってもよく、側板の外面に上部ヒンジ板となる凸部を設けた状態で一体成形したものであってもよい。さらに、上部ヒンジ板１４のヒンジ軸１４ａに代えて側板１８の上端部にヒンジ軸を設け、側板１８が回動するように形成することも可能である。
【００１２】
この折り畳みコンテナは、図１に示す組立状態で、両あおり板１３の下部を内側に回動させた後、側板１８の下部を内側に回動させると、ヒンジ部品１７が連結部１６から内側に折れ曲がり、図４に示すように、あおり板１３の下方に側板１８が折り畳まれた状態となる。この折り畳み状態で上枠１１を上方に持ち上げ、ヒンジ部品１７の連結部１６を伸ばすようにして両側板１８を立てた状態にした後、両あおり板１３を回動させて両側板１８間に立てた状態にすることにより、図１に示すように、あおり板１３及び側板１８が直立状態となり、上枠１１及び底板１２の上下に対向する二辺間があおり板１３及び側板１８によってそれぞれ閉塞された六面体形状の箱型に組み立てることができる。この組立状態では、あおり板１３の両側縁部１３ｂが両側板１８の内面に接した状態となり、側板１８を内部側から押圧して側板１８が内側に回動しないように保持した状態となる。
【００１３】
このようなコンテナの組立状態において、コンテナ内面は、一枚板からなるあおり板１３及び側板１８で４面を囲まれた状態となり、従来の折り畳みコンテナのような側板の連結部がコンテナ内面側に存在しないので、コンテナ内面を平滑面とすることができる。このようにしてコンテナ内面を平滑面とすることにより、コンテナ内に収納した物品を変形させたり、損傷させたりすることがなくなり、収納した物品を保護することができるとともに、運搬中等に物品が固化した場合でも容易に取り出すことができるようになる。さらに、多段積み時の上方からの荷重をあおり板１３及び側板１８の両方で受けることができるので、従来のようにあおり板のみで受けるものに比べて荷重強度を大幅に向上させることができる。
【００１４】
図５乃至図７は、本発明の折り畳みコンテナの第２形態例を示すもので、図５は組立状態の折り畳みコンテナを示す斜視図、図６は同じく側板部分を示す要部の断面側面図、図７は折り畳んだ状態の側板部分を示す要部の断面側面図である。なお、以下の説明において、前記各形態例における折り畳みコンテナの同一の構成要素には同一符号を付して詳細な説明は省略する。
【００１５】
本形態例に示す折り畳みコンテナは、前記第１形態例に示した折り畳みコンテナにおける側板１８を上部ヒンジ板と兼用させたものである。すなわち、上端部をヒンジ軸１８ａにて上枠１１に回動可能に設けた側板１８の外面における上下方向中間部に、下部ヒンジ板１５の上部を回動可能に連結するための軸受部２１を突出させ、この軸受部２１と下部ヒンジ板１５の上部とをヒンジ軸２２により連結してコンテナ内側に回動可能な状態としている。
【００１６】
このように形成した折り畳みコンテナにおいても、組立時には、コンテナ内面が全て平滑面となるので、前記第１形態例の折り畳みコンテナと同様の作用効果を得ることができる。また、組み立てや折り畳みも前記同様にして容易に行うことができる。
【００１７】
図８乃至図１０は、本発明の折り畳みコンテナの第３形態例を示すもので、図８は組立状態の折り畳みコンテナを示す斜視図、図９は同じくあおり板部分を示す要部の断面正面図、図１０は同じく側板部分を示す要部の断面側面図である。
【００１８】
本形態例に示す折り畳みコンテナは、底板１２上面の適当な箇所に、コンテナ組立時におけるあおり板１３及び側板１８の開き角度を規制するストッパー２５，２６をそれぞれ設けるとともに、あおり板１３の両側縁部１３ｂの形状を、両側板１８の開き角度に対応した逆台形状に形成し、さらに、底板１２の短辺側上面に、あおり板１３を開き位置に保持するための係止突起２７を設けたものである。なお、側板１８のストッパー２６は、ヒンジ部品１７と干渉しない位置に設けるようにしている。また、下部ヒンジ板１５のヒンジ軸１５ａ，２２が貫通する軸孔及びあおり板１３のヒンジ軸１３ａが貫通する軸孔が上下方向の長孔となっており、この長孔の遊びによってあおり板１３の下辺が係止突起２７を乗り越えることができるようになっている。
【００１９】
このようなストッパー２５，２６を設けてあおり板１３及び側板１８を下方が内側に傾斜させた状態とすることにより、組立時のあおり板１３及び側板１８により形成されるコンテナ内面形状を、上方が拡大した四角錐形状に形成することができる。組立時には、両側板１８は、あおり板１３の両側縁部１３ｂによって所定角度に保持された状態となり、あおり板１３は、その下辺が係止突起２７に係止することによって所定角度に保持された状態となる。また、複数のコンテナを積み重ねたときに上方からの荷重が加わって場合、あおり板１３の下辺と係止突起２７とは、より確実に係止した状態となるので、荷重によってあおり板１３が内側に回動することはない。
【００２０】
コンテナを折り畳むときには、あおり板１３のヒンジ軸１３ａ部分の遊びやあおり板１３の変形を利用してあおり板１３の下辺と係止突起２７との係止状態を解除し、あおり板１３をコンテナ内側に回動させることにより、前記各形態例の折り畳みコンテナと同様にして折り畳むことができる。
【００２１】
コンテナ内面をこのような上方が拡大した形状にすることにより、フィルム袋等に充填された液体状乃至ゲル状のものが保管中に固化してしまった場合でも、固化した状態のままコンテナ上方に容易に抜き出すことができ、フィルム袋が破れたりすることもなくなる。
【００２２】
あおり板１３及び側板１８の傾斜角度は任意であり、収納する物品の状態やコンテナの大きさ等の条件に応じて設定すればよいが、通常は垂線に対して３〜２０度の範囲が適当である。この角度が３度未満では十分な効果を得ることが困難であり、２０度を超えると内容積が小さくなってしまう。
【００２３】
なお、あおり板１３と側板１８の傾斜角度は、同一でなくてもよく、一方を直立状態とすることもできる。さらに、ストッパー２５，２６や係止突起２７の形状や設置位置も任意であり、例えば、側板１８のストッパー２６は、下部ヒンジ板１５で兼用させることが可能であり、あおり板１３のストッパー２５や係止突起２７は、側板１８の両側縁部内面側に設けることも可能である。
【００２４】
また、本形態例では、側板１８を上部ヒンジ板と兼用させた例を示したが、前記第１形態例と同様に、上部ヒンジ板１４と下部ヒンジ板１５とによりヒンジ部品１７を形成するようにしてもよい。さらに、各形態例において、ヒンジ部品１７は、側板１８の幅寸法や必要強度に応じて、その幅寸法や板厚、設置数を適宜選択することができる。また、上枠部分に蓋を設けることもできる。
【００２５】
【発明の効果】
以上説明したように、本発明の折り畳みコンテナによれば、コンテナ内面を平滑な状態にすることができるので、収納した物品を保護することができるとともに、運搬中等に固化するような物品の取り出しも容易に行うことができる。したがって、従来は一体型のプラスチック容器や段ボール箱に収納していた物品、例えば、表面が柔らかい物品やフィルム袋等に充填された液体状乃至ゲル状の物品を収納することができるとともに、これらの物品を取り出した後の空のコンテナの回収再利用を効率よく行うことができる。
【図面の簡単な説明】
【図１】本発明の第１形態例を示す組立状態の折り畳みコンテナの斜視図である。
【図２】同じくあおり板部分を示す要部の断面正面図である。
【図３】同じく側板部分を示す要部の断面側面図である。
【図４】同じく折り畳んだ状態の側板部分を示す要部の断面側面図である。
【図５】本発明の第２形態例を示す組立状態の折り畳みコンテナの斜視図である。
【図６】同じく側板部分を示す要部の断面側面図である。
【図７】同じく折り畳んだ状態の側板部分を示す要部の断面側面図である。
【図８】本発明の第３形態例を示す組立状態の折り畳みコンテナの斜視図である。
【図９】同じくあおり板部分を示す要部の断面正面図である。
【図１０】同じく側板部分を示す要部の断面側面図である。
【符号の説明】
１１…上枠、１２…底板、１３…あおり板、１４…上部ヒンジ板、１５…下部ヒンジ板、１６…連結部、１７…ヒンジ部品、１８…側板、２１…軸受部、２２…ヒンジ軸、２５，２６…ストッパー、２７…係止突起
【図１】
2004231259.tif 000003
【図２】
2004231259.tif 000004
【図３】
2004231259.tif 000005
【図４】
2004231259.tif 000006
【図５】
2004231259.tif 000007
【図６】
2004231259.tif 000008
【図７】
2004231259.tif 000009
【図８】
2004231259.tif 000010
【図９】
2004231259.tif 000011
【図１０】
2004231259.tif 000012